(57)【特許請求の範囲】
【請求項１】
弾性部材に複数の貫通孔が設けられたゴルフクラブヘッド用固定具であって、
複数の前記貫通孔は、それぞれ異なる種類のクラブヘッドをクラブシャフトと略垂直方向かつクラブヘッドの先端側から見たときの外縁形状と略同一に形成されており、
クラブヘッドを前記貫通孔に装着したときに、クラブヘッドのフェース面の裏面中央よりソール側に相当する位置の前記貫通孔に隙間が設けられることを特徴とする、
ゴルフクラブヘッド用固定具。
【請求項２】
複数のクラブヘッドを前記ゴルフクラブヘッド用固定具に装着したときにクラブシャフトが略平行に配置されるように、複数の前記貫通孔同士の角度をずらして前記弾性部材に配置したことを特徴とする、
請求項１に記載のゴルフクラブヘッド用固定具。
【請求項３】
複数のクラブヘッドを前記ゴルフクラブヘッド用固定具に装着したときにクラブシャフトのグリップ先端がクラブシャフトと略垂直方向に揃って配置されるように、複数の前記貫通孔同士の位置をずらして前記弾性部材に配置したことを特徴とする、
請求項１又は２に記載のゴルフクラブヘッド用固定具。
【請求項４】
前記弾性部材の厚さは前記ゴルフクラブヘッド用固定具に装着するクラブヘッドのフェース長以下であることを特徴とする、
請求項１〜３のいずれか１項に記載のゴルフクラブヘッド用固定具。
【請求項５】
前記弾性部材は発泡樹脂からなることを特徴とする、
請求項１〜４のいずれか１項に記載のゴルフクラブヘッド用固定具。
【請求項６】
前記弾性部材には固定用のひもを通す１又は複数の固定用孔が設けられていることを特徴とする、
請求項１〜５のいずれか１項に記載のゴルフクラブヘッド用固定具。
【発明の詳細な説明】
【技術分野】
【０００１】
本発明は、ゴルフクラブヘッド用固定具に関する。
【背景技術】
【０００２】
複数のゴルフクラブをゴルフクラブ用バッグ等に入れた状態で輸送する場合、これらゴルフクラブのクラブヘッド同士又はクラブヘッドとクラブシャフトとがぶつかることにより音が発生したり、クラブヘッド又はクラブシャフトに傷がついたりすることがある。こうした現象を防止するため、従来からゴルフクラブのクラブヘッドを固定する器具又はクラブヘッドを保護するためのクラブヘッド用カバー等が開発されてきた。例えば、板状の耐水性弾性材を、アイアンクラブのヘッドからネックまでを覆う形状に沿って切断してヘッド側面に密接する一対の側片を形成し、この側片の周囲縁適位置を接合してネック側を開口部とした袋体を形成してなるアイアン用ヘッドカバーがある（特許文献１）。
【０００３】
このアイアン用ヘッドカバーは、アイアンクラブ単体のクラブヘッドに一つのヘッドカバーを被せて使用するものであり、クラブヘッドが他のゴルフクラブのクラブヘッド又はクラブシャフトとぶつかって音が発生したり、傷がついたりすることを防止することができる。
【０００４】
また、例えば、複数のクラブヘッドに被せられる収容空間が形成された袋状のカバー本体と、カバー本体の開口部を閉じる紐とを備え、カバー本体は非伸縮性の素材で構成されるカバー部と伸縮性の素材で形成される伸縮部を備えてなるゴルフクラブカバーがある（特許文献２）。
【０００５】
このゴルフクラブカバーは、複数のゴルフクラブをまとめてカバー本体の中に収納するもので、ゴルフクラブ単体に一つずつ被せるカバーと比較すると、装着及び取外しに要する手間を省くことができる。
【０００６】
しかし、特許文献１に記載のアイアン用ヘッドカバーは、単体のアイアンクラブごとにカバーの装着及び取外しが必要であり、それらの手間がかかるという問題点を有している。従って、装着及び取外しに必要な手間を減らしたゴルフクラブヘッド用固定具の開発が望まれていた。
【０００７】
また、特許文献２に記載のゴルフクラブカバーは、カバー本体の中で複数のクラブヘッドに動きが生じ、音及び傷が発生する可能性があるという問題点を有している。従って、クラブヘッドに動きが生じないように固定及び保護することができるゴルフクラブヘッド用固定具の開発が望まれていた。
【先行技術文献】
【特許文献】
【０００８】
【特許文献１】公開実用新案平１−１３０７６５号公報
【特許文献２】特開２０１３−１０６６９６号公報
【発明の開示】
【発明が解決しようとする課題】
【０００９】
本発明は、このような課題を鑑みなされたものであり、装着及び取外しに必要な手間を低減し、かつクラブヘッドに動きが生じないように固定及び保護することができるゴルフクラブヘッド用固定具を提供することを主目的とする。
【課題を解決するための手段】
【００１０】
本発明は、上述の主目的を達成するために、以下の手段を採った。
【００１１】
本発明にかかるゴルフクラブヘッド用固定具は、弾性部材に複数の貫通孔が設けられたゴルフクラブヘッド用固定具であって、
複数の前記貫通孔は、それぞれ異なる種類のクラブヘッドをクラブシャフトと略垂直方向かつクラブヘッドの先端側から見たときの外縁形状と略同一に形成されており、
クラブヘッドを前記貫通孔に装着したときに、クラブヘッドのフェース面の裏面中央よりソール側に相当する位置の前記貫通孔に隙間が設けられることを特徴とする。
【００１２】
本発明にかかるゴルフクラブヘッド用固定具によれば、複数のクラブヘッドを一つのゴルフクラブヘッド用固定具で固定及び保護することができるので、複数のクラブヘッド用カバーを複数のゴルフクラブごとに装着及び取外しする場合と比較して、ゴルフクラブヘッド用固定具の装着及び取外しに必要な手間を低減することができる。また、複数のクラブヘッド同士又はクラブヘッドとクラブシャフトとがぶつかって音や傷を生じさせる可能性を低減することができる。さらに、クラブヘッドの先端側（トー側）からクラブシャフト側（ヒール側）の方向に向かって、つまりクラブヘッドと略垂直方向にゴルフクラブヘッド用固定具を装着及び取外しすることができるので、ゴルフクラブヘッド用固定具を装着及び取外しすることが容易となる。また、クラブヘッドをゴルフクラブヘッド用固定具に装着した状態でも貫通孔に隙間が生じるようにしているので、ゴルフクラブヘッド用固定具の装着及び取外しが更に容易となる。さらに、クラブヘッドの外縁形状に沿って固定及び保護ができるので、輸送中にクラブヘッドをゴルフクラブヘッド用固定具から外れにくくすることができる。
【００１３】
また、本発明にかかるゴルフクラブヘッド用固定具において、複数のクラブヘッドを前記ゴルフクラブヘッド用固定具に装着したときにクラブシャフトが略平行に配置されるように、複数の前記貫通孔同士の角度をずらして前記弾性部材に配置したことを特徴とするものであってもよい。かかる構成を採用することによって、複数のゴルフクラブをゴルフクラブ用バッグ等の内部に並べた状態で収納することができるから、収納場所の省スペース化に資する。また、複数のゴルフクラブを収納したゴルフクラブ用バッグは自動車に横向きに積載して運搬されることが多いが、この場合でもゴルフクラブ用バッグを横向きに積載した状態のまま、本発明にかかるゴルフクラブヘッド用固定具を複数のゴルフクラブに装着及び取外しすることができる。宅配便等の運送サービス業者にとっては、輸送中にゴルフクラブに傷が生じる可能性を低減できるうえ、ゴルフクラブヘッド用固定具の装着及び取外しを容易に行うことができるから、本発明にかかるゴルフクラブヘッド用固定具を導入するメリットが特に大きい。
【００１４】
さらに、本発明にかかるゴルフクラブヘッド用固定具において、複数のクラブヘッドを前記ゴルフクラブヘッド用固定具に収納したときにクラブシャフトのグリップ先端がクラブシャフトと略垂直方向に揃って配置されるように、複数の前記貫通孔同士の位置をずらして前記弾性部材に配置したことを特徴とするものであってもよい。かかる構成を採用することによって、複数のゴルフクラブのグリップ先端をゴルフクラブ用バッグ等の底面に接した状態で収納することができる。従って、ゴルフクラブ用バッグ等を立てた状態（縦向き）で輸送する場合には、複数のゴルフクラブを宙に浮かすことなく安定した状態で輸送することができる。
【００１５】
さらに、本発明にかかるゴルフクラブヘッド用固定具において、前記弾性部材の厚さは前記ゴルフクラブヘッド用固定具に装着するクラブヘッドのフェース長以下であることを特徴とするものであってもよい。かかる構成を採用することによって、クラブヘッドの先端を本発明にかかるゴルフクラブヘッド用固定具から突出させた状態で装着することができるから、クラブヘッドを持った状態で装着及び取外しを容易に行うことができる。また、ゴルフクラブヘッド用固定具のサイズが大きくなりすぎないから、ゴルフクラブ用バッグ等の内部において本発明にかかるゴルフクラブヘッド用固定具の装着及び取外しを容易に行うことができる。
【００１６】
さらに、本発明にかかるゴルフクラブヘッド用固定具において、前記弾性部材は発泡樹脂からなることを特徴とするものであってもよい。かかる構成を採用することによって、クラブヘッドが本発明にかかるゴルフクラブヘッド用固定具から自然に外れない摩擦力、周囲の物品にぶつかったとしてもクラブヘッドに傷をつけない弾力性、異なる種類のクラブヘッドのサイズ違いにも対応できる収縮性、並びに長期間に渡る輸送、装着及び取外しに耐える耐久性を備えたゴルフクラブヘッド用固定具とすることができる。
【００１７】
さらに、本発明にかかるゴルフクラブヘッド用固定具において、前記弾性部材には固定用のひもを通す１又は複数の固定用孔が設けられていることを特徴とするものであってもよい。かかる構成を採用することによって、本発明にかかるゴルフクラブヘッド用固定具をゴルフクラブ用バッグ又はゴルフ用カート等に固定することができるから、輸送時に意図しない動きが発生して音又は傷が発生する可能性を低減することができる。
【図面の簡単な説明】
【００１８】
【図１】図１ａは、実施形態にかかるゴルフクラブヘッド用固定具１０を正面側から見た正面図、及び図１ｂは、実施形態にかかるゴルフクラブヘッド用固定具１０を底面側から見た底面図である。
【図２】図２ａは、実施形態にかかるゴルフクラブヘッド用固定具１０にアイアンクラブを装着した状態を示す正面図、及び図２ｂは、図２ａを左側面側から見た左側面図である。
【図３】図３は、クラブヘッドのフェース長を示すための説明図である。
【図４】図４は、実施形態にかかるゴルフクラブヘッド用固定具１０の貫通孔２同士の角度をずらして弾性部材１に配置する点を説明するための説明図である。
【図５】図５は、実施形態にかかるゴルフクラブヘッド用固定具１０の貫通孔２同士の位置をずらして弾性部材１に配置する点を説明するための説明図である。
【発明を実施するための形態】
【００１９】
本発明にかかるゴルフクラブヘッド用固定具１０の実施の形態について、図面を参照しつつ詳細に説明する。以下に説明する実施の形態及び図面は、本発明の実施の形態の一部を例示するものであり、これらの構成に限定する目的に使用されるものではなく、本発明の要旨を逸脱しない範囲において適宜変更することができる。なお、各図において対応する構成要素には同一又は類似の符号が付されている。
【００２０】
実施形態にかかるゴルフクラブヘッド用固定具１０を図１に示す。図１ａは、本実施形態にかかるゴルフクラブヘッド用固定具１０を正面側から見た正面図である。本実施形態にかかるゴルフクラブヘッド用固定具１０は、主として、複数の貫通孔２及び固定用孔３が設けられた弾性部材１を備えている。このゴルフクラブヘッド用固定具１０は、図２ａ及び図２ｂに示すように、複数のアイアンクラブのクラブヘッドを複数の貫通孔２にそれぞれ差し込んで装着することにより、複数のクラブヘッドを単一のゴルフクラブヘッド用固定具１０で固定することができる。また、複数のクラブヘッドが固定されて動かなくなるので、クラブヘッド同士又はクラブヘッドとクラブシャフトとがぶつかって音や傷を生じる可能性を低減することができる。
【００２１】
弾性部材１は、図１に示すように、発泡樹脂製の厚板である。弾性部材１の正面側から見た大きさは、固定するアイアンクラブの数によって異なるが、固定するアイアンクラブの数に対応する数の貫通孔２を設けることができ、かつ一般的なゴルフクラブ用バッグに入る大きさであることが望ましい。ゴルフクラブヘッド用固定具１０をゴルフクラブ用バッグ内に収納して輸送する場合の利便性を考えてのことである。本実施形態においては、６本のアイアンクラブを固定するため、６つの貫通孔２を設けることができる大きさとした。同様の理由で、弾性部材１の正面側から見た外形形状は、固定するアイアンクラブの数に対応する数の貫通孔２を設けることができれば特に指定するものではないが、角の取れた丸みのある形状のほうが望ましい。また、弾性部材１の厚さ（板厚）は、最長でもゴルフクラブヘッド用固定具１０に装着するアイアンクラブのフェース長以下であることが望ましい。こうすることにより、クラブヘッドの先端が本発明にかかるゴルフクラブヘッド用固定具１０から突出して、クラブヘッドを手に持った状態で装着及び取外しを容易に行うことができる。ここで、フェース長とは、図３に示すように、クラブヘッドの底面（ソール）を地面と水平になるように置いたときに、シャフト軸線と地面との交点からクラブヘッドの先端側（トー側）頂点までの距離を指す。さらに、弾性部材１の厚さ（板厚）は、最短でもゴルフクラブヘッド用固定具１０に装着するアイアンクラブのフェース長の１／３以上であることが望ましい。こうすることにより、ゴルフクラブヘッド用固定具１０に装着したクラブヘッドが意図しない動きによってゴルフクラブ用ヘッド固定具１０から外れてしまう可能性を低減することができる。弾性部材１の素材は、発泡樹脂からなることを特徴とする。こうすることにより、クラブヘッドを固定する摩擦力、クラブヘッドに傷をつけない弾力性、異なる種類のクラブヘッドのサイズ違いにも対応できる収縮性、並びに長期間に渡る輸送及び脱着に耐える耐久性を備えたゴルフクラブヘッド用固定具１０とすることができる。
【００２２】
貫通孔２は、図１に示すように、弾性部材１をくり抜いて設けられた孔である。貫通孔２の数は、固定するゴルフクラブの数に対応している。本実施形態にかかるゴルフクラブヘッド用固定具１０は、６つの貫通孔２が設けられ、例えば５番アイアンからピッチングウェッジまでの６本のアイアンクラブを固定することができる。貫通孔２の形状は、ゴルフクラブヘッド用固定具１０に装着するクラブヘッドをクラブシャフトと略垂直方向かつクラブヘッドの先端側（トー側）から見たときの外縁形状と略同一に形成することが望ましい。これにより、クラブヘッドの先端側（トー側）からクラブシャフト側（ヒール側）に向かって、クラブヘッドのトー側からヒール側に向かう長手方向と略平行にゴルフクラブヘッド用固定具１０の装着及び取外しを行うことができるから、装着及び取外しが容易になる。また、クラブヘッドと貫通孔２の形状が略同一に形成されることにより適度な摩擦力を有するので、輸送中にクラブヘッドがゴルフクラブヘッド用固定具１０から外れにくい構造とすることができる。本実施形態においては、装着及び取外しをさらに容易にするために、クラブヘッドを装着した状態でも貫通孔２に隙間４が生じるようにしている（図２ａ参照）。
【００２３】
弾性部材１に貫通孔２を設ける角度については、複数種類のクラブヘッドをゴルフクラブヘッド用固定具１０に装着したときにクラブシャフトが略平行に配置されるように、複数の貫通孔２同士の角度をずらして設けることが望ましい。具体的には、５番アイアンからピッチングウェッジ（ＰＷ）までの各アイアンクラブのロフト角が下記表１に示すものであった場合、まず、図４に示す基準線Ａを適当な位置に設けて、Ａとクラブヘッドのフェース面の外縁とのなす角度ａが２４°となるように、貫通孔２を配置する。これが、５番アイアンを固定する貫通孔２となる。次に、基準線Ａを平行にずらした基準線Ａ’を設けて、Ａ’とクラブヘッドのフェース面の外縁とのなす角度ａ’が２８°となるように、貫通孔２を配置する。これが、６番アイアンを固定する貫通孔２となる。同様に、７番アイアン、８番アイアン、９番アイアン及びピッチングウェッジを固定する貫通孔２をずらして配置する。こうすることで、複数種類のクラブヘッドをゴルフクラブヘッド用固定具１０に収納したときにクラブシャフトを略平行に配置することができるから、複数種類のゴルフクラブをゴルフクラブ用バッグ等の内部に並べた状態で収納することができ、ひいては収納場所の省スペース化に資する。
【００２４】
【表１】
0006525155.tif 000002
【００２５】
弾性部材１に貫通孔２を設ける位置については、複数種類のクラブヘッドをゴルフクラブヘッド用固定具１０に収納したときにクラブシャフトのグリップ先端がクラブシャフトと略垂直方向に揃って配置されるように、複数の貫通孔２同士の位置をずらして設けることが望ましい。具体的には、５番アイアンからピッチングウェッジ（ＰＷ）までの各アイアンクラブのシャフト長（本実施例では６０度測定法を用いて測定したが、各アイアンクラブを測定する基準が統一されていれば、ヒールエンド法等どのような測定方法を用いても構わない。）が上記表１に示すものであった場合、図５に示す基準線Ｂをピッチングウェッジを固定する貫通孔２の下端に設ける。次に、ピッチングウェッジのシャフト長と９番アイアンのシャフト長との差である０．５インチ分（図５における距離ｂに相当）、９番アイアンを固定する貫通孔２を基準線Ｂから垂直方向上にずらして配置する。同様に、８番アイアン、７番アイアン、６番アイアン及び５番アイアンを固定する貫通孔２をずらして配置する。こうすることで、複数種類のゴルフクラブのグリップ先端をゴルフクラブ用バッグ等の底面に接した状態で収納することができるから、ゴルフクラブを宙に浮かすことなく安定した状態で輸送を行うことができる。
【００２６】
固定用孔３は、図１に示すように、公知のひもを用いてゴルフクラブヘッド用固定具１０をゴルフクラブ用バッグ又はゴルフ用カート等に固定するための、弾性部材１をくり抜いて設けられた孔である。一般的なゴルフクラブ用バッグには小物を引っかけるためのフックが設けられていることが多いので、ゴルフクラブヘッド用固定具１０に通したひもをこうしたフックに引っかけて固定することで、輸送時にゴルフクラブに意図しない動きが発生して音又は傷が発生する可能性を低減することができる。
【００２７】
なお、上述した実施形態は、上記構成に何ら限定されることはなく、本発明の技術的範囲に属する限り種々の態様で実施し得る。
【００２８】
上述した実施形態では、弾性部材１の素材を発泡樹脂からなるものとしたが、本発明はこれに限定されるものではなく、その他の樹脂、繊維又は木材等、種々の素材を用いることができる。
【００２９】
また、上述した実施形態では、５番アイアンからピッチングウェッジまでのアイアンクラブを用いて説明したが、本発明はこれに限定されるものではなく、全ての種類のウッドクラブ、アイアンクラブ、ウェッジクラブ及びパターを固定するゴルフクラブヘッド用固定具１０として利用することができる。その場合は、貫通孔２の形状を、固定したいゴルフクラブのクラブヘッドをクラブシャフトと略垂直方向かつクラブヘッドの先端側から見たときの外縁形状と略同一に形成する。
【００３０】
さらに、上述した実施形態では、右利き用のゴルフクラブを用いて説明したが、本発明はこれに限定されるものではなく、左利き（レフティー）用のゴルフクラブを固定するゴルフクラブヘッド用固定具１０としても利用することができる。左利き用のゴルフクラブはロフト角が右利き用のゴルフクラブと逆に設けられるが、角度そのものは右利き用のゴルフクラブと同じだから、ゴルフクラブヘッド用固定具１０を表裏反転させて使用すればよい。
【産業上の利用可能性】
【００３１】
上述した実施形態で示すように、複数のゴルフクラブをゴルフクラブ用バッグ等に入れて輸送する場合に生じ得る音及び傷を防止するゴルフクラブヘッド用固定具、特に、音及び傷が生じ易いアイアンクラブ用の防音及び防傷カバーとして利用することができる。
【符号の説明】
【００３２】
１…弾性部材、２…貫通孔、３…固定用孔、４…隙間、１０…ゴルフクラブヘッド用固定具
【図１】
0006525155.tif 000003
【図２】
0006525155.tif 000004
【図３】
0006525155.tif 000005
【図４】
0006525155.tif 000006
【図５】
0006525155.tif 000007